(57)【要約】【課題】光ディスク装置において、トレイを収納する際、少ない部品点数で安定したロック動作を行うこと。【解決手段】収納されたトレイ３を筐体２に係合させるロック機構と、ロック機構を初期状態に復帰させるためにトレイ３に設けたリセットアーム１４と、リセットアーム１４と係合する筐体２に設けた係合ボス２２を備え、トレイ３には、リセットアーム１４と係合ボス２２との係合位置を規制する突起部２１を設ける。突起部２１は、係合ボス２２の背面に当接して、リセットアーム１４と係合ボス２２の係合量が一定になるように規制する。【選択図】図４
2010244660.tif 000002
【特許請求の範囲】
【請求項１】
光ディスクが載置されたトレイを筐体に収納して該光ディスクに情報を記録再生する光ディスク装置において、
収納された上記トレイを上記筐体に係合させるロック機構と、
該ロック機構を初期状態に復帰させるために上記トレイに設けたリセットアームと、
該リセットアームと係合する上記筐体に設けた係合ボスを備え、
上記トレイには、上記リセットアームと上記係合ボスとの係合位置を規制する突起部を設けたことを特徴とする光ディスク装置。
【請求項２】
請求項１に記載の光ディスク装置において、
前記トレイに設けた前記突起部は、前記リセットアームと前記係合ボスが係合するとき、前記係合ボスの背面に当接して、前記リセットアームと前記係合ボスの係合量が一定になるように規制することを特徴とする光ディスク装置。
【請求項３】
請求項１または２に記載の光ディスク装置において、
前記突起部は前記トレイの内側面に一体的に形成し、該突起部の形状は、前記係合ボスとの当接面を平面状に、前記トレイの収納方向の端面を斜面状としたことを特徴とする光ディスク装置。
【請求項４】
請求項１に記載の光ディスク装置において、
前記ロック機構は、前記筐体に設けたロックシャフトと、該ロックシャフトに係合する前記トレイに設けたロックアームと、該ロックアームの係合を解除するリリースアームを有し、
前記リセットアームは、上記リリースアームに連動する可動片を、該可動片を吸着するソレノイドに対して初期位置に戻すことで前記ロック機構を初期状態に復帰させることを特徴とする光ディスク装置。
【請求項５】
光ディスクが載置されたトレイを筐体に収納して該光ディスクに情報を記録再生する光ディスク装置において、
収納された上記トレイを上記筐体に係合させるロック機構と、
該ロック機構を初期状態に復帰させるために上記トレイに設けたリセットアームと、
該リセットアームと係合する上記筐体に設けた係合ボスを備え、
上記トレイを収納したとき上記筐体に対する横方向の位置を規制するため、上記トレイの内側面には、上記係合ボスと当接する突起部を設けたことを特徴とする光ディスク装置。
【発明の詳細な説明】
【技術分野】
【０００１】
本発明は、光ディスクに情報を記録再生する光ディスク装置に係り、特に光ディスクを載置したトレイを筐体に収納する際のロック機構に関する。
【背景技術】
【０００２】
一般に電子機器に搭載される光ディスク装置では、装置本体（筐体）に出入自在に保持されたトレイを備え、このトレイを筐体から引き出した状態で光ディスクを載置し、再びトレイを筐体に収納することで光ディスクを装置本体に装着する構造となっている。トレイには、光ディスクを回転させるスピンドルモータや、光ディスク半径方向に移動可能でディスク記録面にレーザ光を照射して情報を記録または再生する光ピックアップが取り付けられている。
【０００３】
トレイを筐体に収納すると、トレイ側のロックアームが筐体側のロックシャフトに係合してロックされ、トレイは閉じた状態となる。また、イジェクトボタンを押すことによりロックアームとロックシャフトの係合は解除され、トレイが開いた状態となる。ここでロックアームを解除するために、ソレノイドに吸着されている可動片をソレノイドから離脱させる。しかし、可動片がソレノイドから一旦離脱すると、初期位置（リセット状態）に自己復帰ができないため、トレイを筐体に収納するときにはこの可動片を初期位置に戻す動作（復帰動作）が必要である。可動片の復帰動作のためにトレイには復帰用リセットアームを設け、筐体側に設けた突起部（ボス）がリセットアームの先端部と係合して回動させる。
【０００４】
可動片の復帰動作を正常に行うためには、このボスとリセットアームの係合量（オーバーラップ量）は所定範囲内になるよう設定しなければならない。もしも係合量が少ないとトレイ収納時の可動片の復帰動作が不十分となり、トレイのロック動作が失敗することになる。しかしながら、トレイと筐体の間にはトレイ出し入れをスムーズに行うためにクリアランスを設けているので、ボスとリセットアームの係合量を管理するのは困難であった。
【０００５】
これに関し特許文献１では、トレイと筐体の係合ミスを回避するための構成が開示される。ここでは、筐体とトレイを係合するイジェクトロック機構と、筐体とトレイを移動自在に保持するレールと、トレイに設けられレールを保持するレール保持部と、筐体に設けられレールを保持するレールガイドを備え、レールガイドは突起部を有し、その突起部が、トレイが筐体に収納されている時に、レールよりスピンドルモータ側で、かつスピンドルモータの回転中心よりトレイの収納方向側に位置するものである。
【０００６】
特許文献１によればその効果として、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となること、そのため、トレイを筐体に収納する際、トレイの収納条件に起因して発生するトレイと筐体の係合ミスを回避することが可能となることが述べられている。
【先行技術文献】
【特許文献】
【０００７】
【特許文献１】特開２００７−６６４８５号公報
【発明の概要】
【発明が解決しようとする課題】
【０００８】
ノートパソコンのように小型の電子機器に搭載する場合、筐体の厚みが薄くなりトレイ収納時のロック機構のスペースが限られるので、少ない部品で安定したロック動作を行う必要がある。
【０００９】
特許文献１では、レールガイドに設けた突起部によりトレイの可動領域を一定の範囲内に規制する効果は、突起部の存在する近傍領域であるトレイの奥の部分（スピンドルモータの回転中心より奥方向）に限定される。一方、イジェクトロック機構は突起部から遠く離れたトレイの手前側（スピンドルモータの回転中心より手前）に存在するので、トレイの可動領域を規制する効果は小さくなり（ガタが残る）、トレイと筐体の係合ミスを十分に回避することはできないと考えられる。
【００１０】
また、特許文献１では、筐体のレールガイドに設けた突起部からの規制効果は、レールやレール保持部を介してトレイのロック機構に伝達されるものである。よって、係合量（オーバーラップ量）を支配する部品数が多くなり、ノートパソコンのように薄型で部品点数の少ない構成で安定したロック動作は困難であると思われる。
【００１１】
本発明の目的は、トレイを収納する際、少ない部品点数で安定したロック動作を行うための光ディスク装置を提供することにある。
【課題を解決するための手段】
【００１２】
本発明は、光ディスクが載置されたトレイを筐体に収納して該光ディスクに情報を記録再生する光ディスク装置において、収納された上記トレイを上記筐体に係合させるロック機構と、該ロック機構を初期状態に復帰させるために上記トレイに設けたリセットアームと、該リセットアームと係合する上記筐体に設けた係合ボスを備え、上記トレイには、上記リセットアームと上記係合ボスとの係合位置を規制する突起部を設けた構成とする。
【００１３】
ここで前記トレイに設けた前記突起部は、前記リセットアームと前記係合ボスが係合するとき、前記係合ボスの背面に当接して、前記リセットアームと前記係合ボスの係合量が一定になるように規制する。また、前記突起部は前記トレイの内側面に一体的に形成し、該突起部の形状は、前記係合ボスとの当接面を平面状に、前記トレイの収納方向の端面を斜面状とした。
【００１４】
また本発明は、光ディスクが載置されたトレイを筐体に収納して該光ディスクに情報を記録再生する光ディスク装置において、収納された上記トレイを上記筐体に係合させるロック機構と、該ロック機構を初期状態に復帰させるために上記トレイに設けたリセットアームと、該リセットアームと係合する上記筐体に設けた係合ボスを備え、上記トレイを収納したとき上記筐体に対する横方向の位置を規制するため、上記トレイの内側面には、上記係合ボスと当接する突起部を設けた構成とする。
【発明の効果】
【００１５】
本発明によれば、光ディスク装置のロック動作における係合ミスをなくし、安定したロック動作を行うことができる。
【図面の簡単な説明】
【００１６】
【図１】本発明による光ディスク装置の一実施例を示す外観図。
【図２】トレイ２側のロック機構の構造を示す斜視図。
【図３】筐体２側のロック機構の構造を示す斜視図。
【図４】トレイ収納時のロック機構の復帰動作を示す斜視図。
【図５】リセットアーム１４と係合ボス２２との係合状態を模式的に示す平面図。
【図６】突起部２１と係合ボス２２との当接状態を示す断面図。
【図７】本実施例におけるロック動作の流れを示す平面図。
【発明を実施するための形態】
【００１７】
以下、本発明の実施の形態を図面を用いて説明する。
図１は、本発明による光ディスク装置の一実施例を示す外観図であり、（ａ）は表面側、（ｂ）は裏面側から見た斜視図である。図１において、１は光ディスク装置、２は筐体、２ａは上部筐体部、２ｂは下部筐体部、３はトレイ、４は光ピックアップモジュール、５はレール、６はレール保持部、７はスピンドルモータ、８はカバー、８ａは開口、８ｂは裏面カバー、９はキャリッジ、１０はベゼル、１１はイジェクトボタン、２０は光ピックアップ、３０はレールガイドである。
【００１８】
光ディスク装置１は、筐体（シャーシ）２と、筐体２に出入自在に保持されたトレイ３を有している。筐体２は、金属製の上部筐体部２ａ、下部筐体部２ｂを組み合わせて袋状であり、筐体２の開口からトレイ３を収納する構成となっている。トレイ３の裏面カバー８ｂには、光ディスクにレーザ光を照射して情報の記録や再生を行う光ピックアップモジュール４が取り付けられている。
【００１９】
光ピックアップモジュール４は、光ディスクを回転駆動させるスピンドルモータ７と、スピンドルモータ７から外周にかけて開口８ａを設けたカバー８と、開口８ａから一部が露出したキャリッジ９を有している。キャリッジ９は、光ピックアップモジュール４に設けられた複数の案内シャフトに移動自在に保持されており、図示しないフィードモータによって、スピンドルモータ７に近づいたり離れたりするように移動する。キャリッジ９には、光ディスクにレーザ光を照射するレーザーダイオード等の光源や対物レンズなどの各種光学部材を有する光ピックアップ２０が搭載されている。
【００２０】
トレイ３は筐体２に対して、レール５を介して収納及び引き出しの移動が行われる。トレイ３は、その側面に設けたレール保持部６によりレール５に保持される。また、レール５は、筐体２側面に設けられたレールガイド３０により保持される。トレイ３の出入移動をスムーズに行わせるため、レール５、レール保持部６、レールガイド３０の間には所定の間隙（クリアランス）を設けている。
【００２１】
トレイ３を収納するときは、トレイ３の前面に設けられたベゼル１０を筐体２側に押し込み、筐体２に設けられた係合部（後述するロックシャフト１８）とトレイ３に設けられた係合部（後述するロックアーム１６）とを係合させることで、トレイ３を筐体２内に固定（ロック）させる。一方トレイ３を引き出すときは、ベゼル１０に設けられたイジェクトボタン１１を押すことで、筐体２に設けられた係合部とトレイ３に設けられた係合部との係合を解除し、トレイ３を筐体２から前面側に引き出す。このロック機構は、トレイ３についてはイジェクトボタン１１の背面側の符号４０で示す部分に配置されている。筐体２については、符号４０に対応する符号４１の部分に配置されている。以下、これらのロック機構について説明する。
【００２２】
図２は、トレイ２側のロック機構の構造を示す斜視図であり、図１における符号４０の部分を裏面側から見て拡大したものである。なお、説明のために裏面カバー８ｂは除去している。図２において、１２はソレノイド、１３は可動片、１４はリセットアーム、１５はリリースアーム、１６はロックアーム、１７はイジェクトスプリング、１８はロックシャフトである。なお、ソレノイド１２、可動片１３、イジェクトスプリング１７については、これらをトレイ３から除去した状態を示す（搭載した状態は、後述の図７に示す）。
【００２３】
ロックアーム１６は筐体２側のロックシャフト１８と係合することで、ロック状態を実現する。リリースアーム１５はロック状態のロックアーム１６を逆方向に回動させて、ロック状態を解除する。リリースアーム１５は可動片１３の移動に連動して回動し、可動片１３はソレノイド１２の吸着力とイジェクトスプリング１７の吸引力を受け、いずれかの方向に移動する。リセットアーム１４は、後述する筐体２側の係合ボス２２と係合することで回動し、リリースアーム１５を回動させ、イジェクトスプリング１７により吸引されている可動片１３をソレノイド１２側に移動させて吸着させる。
【００２４】
本実施例では、トレイ３の内側面に、内側に向けた突起部２１を設けている。この突起部２１は、筐体２側に設けた係合ボス２２に当接して、トレイ３を収納したとき筐体２に対する横方向（トレイの載置面に平行で収納方向と垂直な方向）の位置を規制する。すなわちこの突起部２１は、係合ボス２２に当接して、係合ボス２２とリセットアーム１４の係合時の位置関係を規制する役目を有する。
【００２５】
図３は、筐体２側のロック機構の構造を示す斜視図であり、図１における符号４１の部分を表面側から見て拡大したものである。なお、説明のために上部筐体部２ａは除去している。下部筐体部２ｂには円柱状の断面を有するロックシャフト１８を設け、レールガイド３０には当接部が角柱状の係合ボス２２を設けている。ロックシャフト１８は、図２におけるロックアーム１６の先端部と係合し、係合ボス２２は図２におけるリセットアーム１４の先端部に係合する。当然ながら、これらの係合量を所定量とするために、ロックシャフト１８や係合ボス２２を、前記ロックアーム１６やリセットアーム１４の位置に合わせて配置する。
【００２６】
トレイ３が収納されたロック状態では、トレイ３側のロックアーム１６は、筐体側のロックシャフト１８に係合している。そのとき可動片１３はソレノイド１２に吸着され、可動片１３に連動するリリースアーム１５はロックアーム１６から離れ、ロックアーム１６に作用しないようにしてロック状態を保持する。つまり、ロック状態とするには、可動片１３をソレノイド１２に吸着させておかなければならない。
【００２７】
一方ロック解除時は、イジェクトボタン１１を押すことにより可動片１３とソレノイド１２の吸着を解除し、可動片１３はイジェクトスプリング１７の吸引力を受けてソレノイド１２から離脱する。これに連動してリリースアーム１５が回動し、ロックアーム１６を回動させる。その結果、ロックアーム１６とロックシャフト１８との係合が解除されることで、ロック状態を解除する。
【００２８】
次にトレイ３を収納しロック状態に遷移するとき、ソレノイド１２から一旦離脱した可動片１３は、ソレノイド１２を動作させてもソレノイド１２側に移動できず、初期位置（リセット状態）に復帰ができない。よって、このままではロック状態を実現できないので、この可動片１３をソレノイド１２に対して初期位置に戻す動作が必要となる。そのため、トレイ３を筐体２に収納する動作と連動して、リセットアーム１４を筐体２側の係合ボス２２と係合させて回動させ、リリースアーム１５を介して、可動片１３を初期位置に復帰させる。その結果、ロック機構は初期状態に復帰する。
【００２９】
図４は、トレイ収納時のロック機構の復帰動作を示す斜視図である。トレイ３側のロック機構に、筐体２側のレールガイド３０を組み合わせた状態を裏面から見た図である。なお、筐体２側の下部筐体部２ｂとそれに設けたロックシャフト１８は説明のために除去している。
【００３０】
復帰動作に関連する部品として、トレイ３側のリセットアーム１４、ロックアーム１６、及び突起部２１を示す。また筐体２側の、レールガイド３０とこれに設けた係合ボス２２を示す。トレイ３を収納し、リセットアーム１４の先端がレールガイド３０の係合ボス２２に接触（係合）しようとする状態である。このときトレイ３に設けた突起部２１は、係合ボス２２の背面に当接しようとしている。従来、トレイ３とレールガイド３０との間にはクリアランスが存在するので、リセットアーム１４と係合ボス２２との係合時の距離はばらついていた。本実施例では、トレイ３に設けた突起部２１の側面を係合ボス２２の背面に当接して、リセットアーム１４と係合ボス２２との距離を規制し、両者の係合量をほぼ一定となるように規制するものである。
【００３１】
図５は、リセットアーム１４と係合ボス２２との係合状態を模式的に示す平面図である。
【００３２】
トレイ３に設けた突起部２１の側面（規制面）２１ａが係合ボス２２の背面２２ａと当接して、リセットアーム１４と係合ボス２２の位置関係を規制する。リセットアーム１４と係合ボス２２との係合量（オーバーラップ量）Ａは、係合ボス２２の幅Ｂ、リセットアーム１４の先端部の長さＣ、シャフト１４ａと突起部２１の規制面２１ａとの距離Ｄとすると、Ａ＝Ｂ＋Ｃ−Ｄで決まる。ここに、リセットアーム１４のシャフト１４ａと突起部２１はトレイ３上に一体で成形加工されているので、距離Ｄは精度良く実現できる。よって、係合量Ａの精度は、係合ボス２２の幅Ｂ、リセットアーム１４の先端部の長さＣの２部品の精度で決まる。
【００３３】
従来は、寸法を管理すべき部品数はレールやレールガイドなどを含み５点ほど存在した。これに対し本実施例では、突起部２１により係合部材である係合ボス２２とリセットアーム１４を直接的に規制するので、寸法を管理すべき部品数が２個に低減し、管理し易くばらつきが低減する。その結果、係合量（オーバーラップ量）Ａのばらつきは大幅に低減し、従来の約１／３に抑えることができた。これにより、ロック動作時の係合ミスの発生をなくすることができる。
【００３４】
なお、突起部２１の形状は、係合ボス２２との当接面２１ａを平面状に、トレイ３の収納方向の端面２１ｃを斜面状とすることで、係合ボス２２との当接動作をスムーズに行うことができる。
【００３５】
図６は、突起部２１と係合ボス２２との当接状態を示す断面図であり、図５におけるＸ−Ｘ’断面を示す。（ａ）は本実施例の場合、（ｂ）は比較のために従来の場合を示す。
（ａ）のように本実施例では、レールガイド３０に設けた係合ボス２２の背面２２ａは、トレイ３に設けた突起部２１の規制面２１ａに当接し、トレイ３に対する係合ボス２２の位置決め精度が向上する。これに対し（ｂ）の従来構成では、係合ボス２２とトレイ３との間の位置関係を規制するものがなく、レールガイド３０とトレイ３との間に元々存在するクリアランスだけ変動可能で、よって位置決め精度が悪かった。
【００３６】
図７は、本実施例におけるロック動作の流れを示す平面図で、裏面から見た図である。
（ａ）はロック動作開始状態で、使用者によりベゼル１０を介してトレイ３がガイドレール３０に沿って筐体２に収納される。ロックアーム１６はロックシャフト１８に係合する直前で、またリセットアーム１４は係合ボス２２に係合する直前の状態である。
【００３７】
（ｂ）はロック動作途中の状態で、ロックアーム１６はロックシャフト１８に係合を開始し、またリセットアーム１４は係合ボス２２に係合する。このとき、突起部２１は係合ボス２２の背面に当接してその位置を規制する。リセットアーム１４の回動はリリースアーム１５に伝達され、リリースアーム１５が回動する。リリースアーム１５に搭載した可動片１３は、イジェクトスプリング１７の吸引力に逆らって、ソレノイド１２方向に移動し吸着される。
【００３８】
（ｃ）はロック動作が完了した状態で、ロックアーム１６はロックシャフト１８に係合している。また可動片１３はソレノイド１２内の初期位置（リセット状態）に復帰している。係合ボス２２とリセットアーム１４の係合は解除され、リセットアーム１４は（ａ）と同じ位置に戻る。またリリースアーム１５とロックアーム１６の接触が解除され、ロック状態が保持される。
【００３９】
以上のように、本実施例によればトレイ３側に突起部２１を設けることで、トレイ収納の際ロック動作における係合ミスをなくし、ロック動作のマージンを大幅に向上させる効果がある。
【符号の説明】
【００４０】
１…光ディスク装置、
２…筐体、
２ａ…上部筐体部、
２ｂ…下部筐体部、
３…トレイ、
４…光ピックアップモジュール、
５…レール、
６…レール保持部、
７…スピンドルモータ、
８…カバー、
８ａ…開口、
８ｂ…裏面カバー、
９…キャリッジ、
１０…ベゼル、
１１…イジェクトボタン、
１２…ソレノイド、
１３…可動片、
１４…リセットアーム、
１５…リリースアーム、
１６…ロックアーム、
１７…イジェクトスプリング、
１８…ロックシャフト、
２０…光ピックアップ、
２１…突起部、
２２…係合ボス、
３０…レールガイド。
【図１】
2010244660.tif 000003
【図２】
2010244660.tif 000004
【図３】
2010244660.tif 000005
【図４】
2010244660.tif 000006
【図５】
2010244660.tif 000007
【図６】
2010244660.tif 000008
【図７】
2010244660.tif 000009